(57)【要約】【課題】センタ拠点に設置され第１の端末に接続される第１の伝送装置と、リモート拠点に設置され複数の第２の端末に接続される複数の第２の伝送装置とを含み、第１の伝送装置と複数の第２の伝送装置とが個別の伝送媒体を介して相互に接続された伝送網において、通信リンクの異常の原因が第２の伝送装置か伝送媒体かを容易に切り分けること。【解決手段】各リモート伝送装置４０Ａ，４０Ｂの状態に関する情報である装置状態情報を、センタ伝送装置３０との間の伝送媒体７０Ａ，７０Ｂとは異なる伝送媒体８１を介して各リモート伝送装置４０Ａ，４０Ｂ間で共有してセンタ伝送装置３０に送信し、センタ伝送装置３０は一のリモート伝送装置との間の通信リンクの異常を検出したとき、各リモート伝送装置４０Ａ，４０Ｂの装置状態情報に基づいて障害の発生箇所が当該一のリモート伝送装置か当該一のリモート伝送装置との間の個別の伝送媒体かを判別する。【選択図】図２
2015111798.tif 000002
【特許請求の範囲】
【請求項１】
センタ拠点に設置された少なくとも１つの第１の端末と当該センタ拠点とは異なるロケーションのリモート拠点に設置された複数の第２の端末との間の通信を行うための、センタ拠点に設置され第１の端末に接続される第１の伝送装置と、リモート拠点に設置され複数の第２の端末にそれぞれ接続される複数の第２の伝送装置とを含み、前記第１の伝送装置と複数の第２の伝送装置とが個別の伝送媒体を介して相互に接続された伝送網における通信状態を監視する方法であって、
各第２の伝送装置が、当該第２の伝送装置の状態に関する情報である装置状態情報を定期的に又は指示に応じて作成する工程と、
各第２の伝送装置が、前記第１の伝送装置との間の個別の伝送媒体とは異なる他の伝送媒体を介して他の第２の伝送装置の装置状態情報を定期的に又は指示に応じて収集する工程と、
各第２の伝送装置が、前記作成および収集した装置状態情報を定期的に又は指示に応じて前記個別の伝送媒体を介して前記第１の伝送装置に送信する工程と、
第１の伝送装置が、前記各第２の伝送装置との間の通信リンクの正常性を確認する工程と、
第１の伝送装置が、前記各第２の伝送装置の装置状態情報を前記個別の伝送媒体を介して定期的に又は指示を出して受信する工程と、
第１の伝送装置が、一の第２の伝送装置との間の通信リンクの異常を検出したとき、前記受信した各第２の伝送装置の装置状態情報に基づいて障害の発生箇所が当該一の第２の伝送装置か当該一の第２の伝送装置との間の個別の伝送媒体かを判別する工程とを含む
ことを特徴とする通信状態監視方法。
【請求項２】
前記に加え、
一の第２の伝送装置との間の通信リンクの異常が当該一の第２の伝送装置の障害によるものであると判別した場合において、
第１の伝送装置が、当該一の第２の伝送装置への装置内試験の実施の指示を当該一の第２の伝送装置とは異なる第２の伝送装置へ個別の伝送媒体を介して送信する工程と、
前記異なる第２の伝送装置が、前記一の第２の伝送装置への装置内試験の実施の指示を他の伝送媒体を介して転送する工程と、
前記異なる第２の伝送装置が、前記一の第２の伝送装置での装置内試験の実施結果を他の伝送媒体を介して収集する工程と、
前記異なる第２の伝送装置が、前記一の第２の伝送装置での装置内試験の実施結果を個別の伝送媒体を介して第１の伝送装置へ送信する工程と、
第１の伝送装置が、前記一の第２の伝送装置における装置内試験の実施結果を、前記異なる第２の伝送装置から個別の伝送媒体を介して受信する工程と、
第１の伝送装置が、前記一の第２の伝送装置における装置内試験の実施結果から詳細な障害発生箇所を特定する工程とを含む
ことを特徴とする請求項１に記載の通信状態監視方法。
【請求項３】
前記第１の伝送装置と各第２の伝送装置との間での装置状態情報その他の通信状態監視に関わる情報の送受信は、複数の第２の伝送装置のうちの特定の第２の伝送装置と第１の伝送装置との間でのみ実行する
ことを特徴とする請求項１又は２に記載の通信状態監視方法。
【請求項４】
前記第１の伝送装置と各第２の伝送装置との間での装置状態情報その他の通信状態監視に関わる情報は、主信号とは別の監視用信号を用いて送受信する
ことを特徴とする請求項１乃至３のいずれかに記載の通信状態監視方法。
【請求項５】
センタ拠点に設置された少なくとも１つの第１の端末と当該センタ拠点とは異なるロケーションのリモート拠点に設置された複数の第２の端末との間の通信を行うための、センタ拠点に設置され第１の端末に接続される第１の伝送装置と、リモート拠点に設置され複数の第２の端末にそれぞれ接続される複数の第２の伝送装置とを含み、前記第１の伝送装置と複数の第２の伝送装置とが個別の伝送媒体を介して相互に接続された伝送網における通信状態を監視するシステムであって、
前記各第２の伝送装置は、
前記第１の伝送装置との間の個別の伝送媒体とは異なる他の伝送媒体を介して互いに通信可能に接続されるとともに、
当該第２の伝送装置の状態に関する情報である装置状態情報を定期的に又は指示に応じて作成する手段と、
前記他の伝送媒体を介して他の第２の伝送装置の装置状態情報を定期的に又は指示に応じて収集する手段と、
前記作成および収集した装置状態情報を定期的に又は指示に応じて前記個別の伝送媒体を介して前記第１の伝送装置に送信する手段とを備え、
前記第１の伝送装置は、
前記各第２の伝送装置との間の通信リンクの正常性を確認する手段と、
前記各第２の伝送装置の装置状態情報を前記個別の伝送媒体を介して定期的に又は指示を出して受信する手段と、
一の第２の伝送装置との間の通信リンクの異常を検出したとき、前記受信した各第２の伝送装置の装置状態情報に基づいて障害の発生箇所が当該一の第２の伝送装置か当該一の第２の伝送装置との間の個別の伝送媒体かを判別する手段とを備えた
ことを特徴とする通信状態監視システム。
【請求項６】
複数のリモート伝送装置がそれぞれ、内部バスを介して相互に通信可能に接続されたラインカードの形態で構成され、リモート拠点に設置された１つの装置筐体に収容されている
ことを特徴とする請求項５に記載の通信状態監視システム。
【請求項７】
ラインカード形態の複数のリモート伝送装置を収容した２以上の装置筐体がそれぞれ、リモート拠点に設置され、各装置筐体間は伝送媒体を介して相互に通信可能に接続されている
ことを特徴とする請求項６に記載の通信状態監視システム。
【発明の詳細な説明】
【技術分野】
【０００１】
本発明は、センタ拠点に設置され第１の端末に接続される第１の伝送装置と、当該センタ拠点とは異なるロケーションのリモート拠点に設置され複数の第２の端末にそれぞれ接続される複数の第２の伝送装置とを含み、前記第１の伝送装置と複数の第２の伝送装置とが個別の伝送媒体を介して相互に接続された伝送網における通信状態を監視する技術に関する。
【背景技術】
【０００２】
センタ拠点に設置された第１の端末と当該センタ拠点とは異なるロケーションのリモート拠点に設置された第２の端末との間の通信を行うための、センタ拠点に設置され第１の端末に接続される第１の伝送装置と、リモート拠点に設置され第２の端末に接続される第２の伝送装置とを含み、前記第１の伝送装置と第２の伝送装置とが伝送媒体を介して相互に接続された伝送網における通信状態を監視する従来技術について、図１を用いて説明する。
【０００３】
図１において、１はセンタ拠点に設置された第１の端末、２はリモート拠点に設置された第２の端末、３はセンタ拠点に設置された第１の伝送装置（以下、「センタ伝送装置」）、４はリモート拠点に設置された第２の伝送装置（以下、「リモート伝送装置」）であり、端末１と端末２との間の通信を実現するため、端末１とセンタ伝送装置３とが伝送媒体５を介して相互に接続され、端末２とリモート伝送装置４とが伝送媒体６を介して相互に接続され、センタ伝送装置３とリモート伝送装置４とが伝送媒体７を介して相互に接続されている。ここで、リモート伝送装置４の監視はセンタ伝送装置３を介して行う。そのため監視システムへはセンタ伝送装置３において接続される。
【０００４】
以下、従来技術により端末１と端末２との間の通信の正常性を確認する手順を詳細に説明する。
【０００５】
端末１と端末２との間の通信の正常性を確認するため、端末１から端末２までに至る通信経路の各セグメント毎に監視を行う。
【０００６】
まず、端末１とセンタ伝送装置３との間の通信の状態は、センタ伝送装置３の通信インタフェース３１の状態を確認することにより実現される。具体的には、端末１の通信インタフェース１１と通信インタフェース３１との間のリンクの状態、通信インタフェース１１から送信される信号の受信強度、通信インタフェース１１から送信される信号の品質（エラーの状態）などを監視する方法がある。
【０００７】
次に端末２とリモート伝送装置４との間の通信の状態は、リモート伝送装置４の通信インタフェース４１の状態を確認することにより実現される。具体的には、端末２の通信インタフェース２１と通信インタフェース４１との間のリンクの状態、通信インタフェース２１から送信される信号の受信強度、信号の品質（エラーの状態）などを監視する方法がある。
【０００８】
一方、センタ伝送装置３とリモート伝送装置４との間の通信の状態を確認するには、上記と同様にセンタ伝送装置３の通信インタフェース３２およびリモート伝送装置４の通信インタフェース４２の状態を監視する方法がある。この方法を代替する方法、あるいは前記の方法と同時に実施される方法として、以下の方法が幅広く用いられている。
【０００９】
即ち、センタ伝送装置３とリモート伝送装置４との間で主信号とは異なる監視用信号ｃ１，ｃ２を定期的に送受信することにより、センタ伝送装置３とリモート伝送装置４との間の通信リンクが正常に機能していることを確認する方法である。
【００１０】
センタ伝送装置３がリモート伝送装置４から送信された監視用信号ｃ２を正常に受信している状態ではリモート伝送装置４の通信インタフェース４２およびセンタ伝送装置３とリモート伝送装置４との間の伝送媒体７が共に正常に動作していること、つまりリンクが正常に動作していることを確認することができる。一方、センタ伝送装置３がリモート伝送装置４から送信された監視用信号ｃ２を受信できない場合には伝送媒体７もしくはリモート伝送装置４の通信インタフェース４２のいずれか一方、又は両方に障害が発生したことを検知することができる。
【００１１】
また、センタ伝送装置３から送信された監視用信号ｃ１のリモート伝送装置４における受信状態をリモート伝送装置４が監視用信号ｃ２に記述してセンタ伝送装置３に送信するといった手順で通知することにより、センタ伝送装置３はリモート伝送装置４の通信インタフェース４２の受信部の正常性を確認することができる。
【００１２】
以上に述べた手順により、端末１と端末２との間のリンクの双方向の正常性を確認することができる。
【００１３】
ここで、監視用信号を送信する時間間隔を十分に短くすることにより、リモート伝送装置４もしくはセンタ伝送装置３とリモート伝送装置４との間のリンクにおいて発生する障害を即時的に検知することが可能となる。
【００１４】
正常性を監視するための信号としては、非特許文献１で規定されるEthernet（登録商標） CC（Continuity Check）信号といったＯＡＭ（operations、administration and maintenance）信号が使用される。
【００１５】
上記の監視用信号を使用するリンク正常性の確認方法では、信号のエラーの状態等を計測し、よりリンクの状態を詳細に確認したり、センタ伝送装置３とリモート伝送装置４との間に他の伝送装置がカスケードに接続される場合にも、センタ伝送装置３とリモート伝送装置４とのポート間のリンクの正常性を確認することができるというメリットがある。
【００１６】
また、リモート伝送装置４からセンタ伝送装置３へ送信される監視用信号ｃ２には、リモート伝送装置４の状態に関する情報（以下、「装置状態情報」）を記述して送信することも考えられる。その場合、センタ伝送装置３はリモート伝送装置４の詳細な状態を知ることができる。
【発明の概要】
【発明が解決しようとする課題】
【００１７】
しかしながら、上記の従来技術では以下の課題があった。
【００１８】
センタ伝送装置３とリモート伝送装置４とを接続する伝送媒体７において障害が発生した場合、リモート伝送装置４の通信インタフェース４２もしくはリモート伝送装置４そのものに障害が発生した場合と同様に、センタ伝送装置３においてリモート伝送装置４から送信された監視用信号ｃ２を受信できない事象や通信インタフェース３２のリンクダウンの事象が発生する。
【００１９】
このため、センタ伝送装置３はリモート伝送装置４から送信された監視用信号ｃ２が受信できないこと、あるいは通信インタフェース３２のリンクダウンの発生を以ってリンクに障害が発生したことを検知することができるものの、障害の発生箇所が伝送媒体７であるのか、又はリモート伝送装置４であるのかの切り分けを行うことは困難である。従って、場合によってはリモート伝送装置４を設置しているリモート拠点に工事担当者を派遣するといった作業が発生し、障害の発生個所を特定するまでの時間を要したり、運用コストが増加するという課題があった。
【課題を解決するための手段】
【００２０】
本発明では上記の課題を解決するため、複数のリモート伝送装置において装置状態情報をそれぞれ収集するとともに共有し、当該装置状態情報を各リモート伝送装置からリモート伝送装置とセンタ伝送装置とを接続する伝送媒体を介してセンタ伝送装置に送信することを特徴とする。
【発明の効果】
【００２１】
本発明によれば、センタ伝送装置は、あるリモート伝送装置の状態状態情報を、当該あるリモート伝送装置とセンタ伝送装置とが通信のために使用する伝送媒体とは異なる他の伝送媒体を介して入手することができ、これにより、センタ伝送装置と当該あるリモート伝送装置との間のリンクに障害が発生した場合に、その発生箇所が伝送媒体であるのか、又はリモート伝送装置であるのかの切り分け、即ち障害の発生箇所の切り分けを容易に行うことが可能となり、障害復旧時間の短縮やオペレーションコストの削減、およびシステムの信頼性の向上を実現する効果が期待される。
【図面の簡単な説明】
【００２２】
【図１】従来の通信状態監視システムの一例を示す構成図
【図２】本発明の通信状態監視システムの第１の実施の形態を示す構成図
【図３】本発明の通信状態監視システムの第１の実施の形態に対応するセンタ伝送装置の動作フローチャートの一例を示す図
【図４】本発明の通信状態監視システムの第１の実施の形態に対応するリモート伝送装置の動作フローチャートの一例を示す図
【図５】本発明の通信状態監視システムの第１の実施の形態に対応するセンタ伝送装置の動作フローチャートの他の例を示す図
【図６】本発明の通信状態監視システムの第１の実施の形態に対応するリモート伝送装置の動作フローチャートの他の例を示す図
【図７】本発明の通信状態監視システムの第２の実施の形態を示す構成図
【図８】本発明の通信状態監視システムの第３の実施の形態を示す構成図
【図９】本発明の通信状態監視システムの第４の実施の形態に対応するセンタ伝送装置の動作フローチャートの一例を示す図
【図１０】本発明の通信状態監視システムの第４の実施の形態に対応する代表リモート伝送装置の動作フローチャートの一例を示す図
【図１１】本発明の通信状態監視システムの第４の実施の形態に対応するリモート伝送装置の動作フローチャートの一例を示す図
【図１２】本発明の通信状態監視システムの第４の実施の形態に対応するセンタ伝送装置の動作フローチャートの他の例を示す図
【図１３】本発明の通信状態監視システムの第４の実施の形態に対応する代表リモート伝送装置の動作フローチャートの他の例を示す図
【図１４】本発明の通信状態監視システムの第４の実施の形態に対応するリモート伝送装置の動作フローチャートの他の例を示す図
【図１５】本発明の通信状態監視システムの第５の実施の形態を示す構成図
【図１６】本発明の通信状態監視システムの第６の実施の形態を示す構成図
【図１７】本発明の通信状態監視方法の適用例を示す構成図
【発明を実施するための形態】
【００２３】
以下、本発明の動作について図面を用いて詳細に説明する。
【００２４】
図２は本発明の通信状態監視システムの第１の実施の形態を示すもので、図中、１ａ，１ｂはセンタ拠点に設置された第１の端末、２ａ，２ｂはセンタ拠点とは異なるロケーションのリモート拠点に設置された第２の端末、５ａ，５ｂ，６ａ，６ｂは伝送媒体、３０はセンタ拠点に設置され第１の端末１ａ，１ｂに接続されるセンタ伝送装置、４０Ａ，４０Ｂはリモート拠点に設置され第２の端末２ａ，２ｂにそれぞれ接続されるリモート伝送装置、７０Ａ，７０Ｂ，８１は伝送媒体である。
【００２５】
センタ伝送装置３０は第１の端末１ａ，１ｂとの通信のための通信インタフェース３１ａ，３１ｂとともにリモート伝送装置４０Ａ，４０Ｂとの通信のための通信インタフェース３２ａ，３２ｂを備え、また、リモート伝送装置４０Ａは第２の端末２ａとの通信のための通信インタフェース４１ａ、センタ伝送装置３０との通信のための通信インタフェース４２ａとともにリモート伝送装置４０Ｂとの通信のための通信インタフェース４３ａを備え、また、リモート伝送装置４０Ｂは第２の端末２ｂとの通信のための通信インタフェース４１ｂ、センタ伝送装置３０との通信のための通信インタフェース４２ｂとともにリモート伝送装置４０Ａとの通信のための通信インタフェース４３ｂを備えている。
【００２６】
また、センタ伝送装置３０およびリモート伝送装置４０Ａは通信インタフェース３２ａおよび４２ａにより伝送媒体７０Ａを介して相互に通信可能に接続され、センタ伝送装置３０およびリモート伝送装置４０Ｂは通信インタフェース３２ｂおよび４２ｂにより伝送媒体７０Ｂを介して相互に通信可能に接続され、リモート伝送装置４０Ａおよび４０Ｂは通信インタフェース４３ａおよび４３ｂにより伝送媒体８１を介して相互に通信可能に接続されている。
【００２７】
また、第１の端末１ａ，１ｂはそれぞれ、通信インタフェース１１ａ，１１ｂにより伝送媒体５ａ，５ｂを介してセンタ伝送装置３０と接続され、第２の端末２ａは通信インタフェース２１ａにより伝送媒体６ａを介してリモート伝送装置４０Ａと接続され、第２の端末２ｂは通信インタフェース２１ｂにより伝送媒体６ｂを介してリモート伝送装置４０Ｂと接続され、このようにして端末１ａと端末２ａの通信、端末１ｂと端末２ｂの通信がそれぞれ実現される。
【００２８】
前記構成において、センタ伝送装置３０は通信インタフェース３１ａにより端末１ａとの接続状態を、通信インタフェース３１ｂにより端末１ｂとの接続状態を、通信インタフェース３２ａによりリモート伝送装置４０Ａとの接続状態を、通信インタフェース３２ｂによりリモート伝送装置４０Ｂとの接続状態をそれぞれ監視する。
【００２９】
リモート伝送装置４０Ａは通信インタフェース４１ａにより端末２ａとの接続状態を、通信インタフェース４２ａによりセンタ伝送装置３０との接続状態をそれぞれ監視する。リモート伝送装置４０Ｂは通信インタフェース４１ｂにより端末２ｂとの接続状態を、通信インタフェース４２ｂによりセンタ伝送装置３０との接続状態をそれぞれ監視する。
【００３０】
センタ伝送装置３０は通信インタフェース３２ａからリモート伝送装置４０Ａの通信インタフェース４２ａに対して監視用信号ｃ１ａを定期的に送信し、リモート伝送装置４０Ａは通信インタフェース４２ａからセンタ伝送装置３０の通信インタフェース３２ａに対して監視用信号ｃ２ａを定期的に送信することにより、リンクの正常性を双方向に監視する。
【００３１】
また、センタ伝送装置３０は通信インタフェース３２ｂからリモート伝送装置４０Ｂの通信インタフェース４２ｂに対して監視用信号ｃ１ｂを定期的に送信し、リモート伝送装置４０Ｂは通信インタフェース４２ｂからセンタ伝送装置３０の通信インタフェース３２ｂに対して監視用信号ｃ２ｂを定期的に送信することにより、リンクの正常性を双方向に監視する。
【００３２】
リモート伝送装置４０Ａは自身の装置状態情報を作成するとともに対向して接続された他方のリモート伝送装置４０Ｂの装置状態情報を定期的に又はセンタ伝送装置３０からの指示に応じて伝送媒体８１を介して収集し、また、リモート伝送装置４０Ｂも自身の装置状態情報を作成するとともに対向して接続された他方のリモート伝送装置４０Ａの装置状態情報を定期的に又はセンタ伝送装置３０からの指示に応じて伝送媒体８１を介して収集する。ここで、リモート伝送装置４０Ａおよび４０Ｂの装置状態情報はそれぞれ、少なくとも当該リモート伝送装置４０Ａおよび４０Ｂの各通信インターフェースの正常性に関する情報を含む。なお、各通信インターフェースの正常性はそれぞれリモート伝送装置内で確認することができる。
【００３３】
リモート伝送装置４０Ａは自身の装置状態情報とともにリモート伝送装置４０Ｂの装置状態情報を伝送媒体７０Ａを介して監視用信号ｃ２ａによりセンタ伝送装置３０に定期的に又はセンタ伝送装置３０からの指示に応じて送信する。また、リモート伝送装置４０Ｂも自身の装置状態情報とともにリモート伝送装置４０Ａの装置状態情報を伝送媒体７０Ｂを介して監視用信号ｃ２ｂによりセンタ伝送装置３０に定期的に又はセンタ伝送装置３０からの指示に応じて送信する。
【００３４】
センタ伝送装置３０と端末１ａおよび１ｂとの間、センタ伝送装置３０とリモート伝送装置４０Ａおよび４０Ｂとの間、リモート伝送装置４０Ａと端末２ａとの間、リモート伝送装置４０Ｂと端末２ｂとの間の接続状態はそれぞれ監視され、その情報はセンタ伝送装置３０に一元的に収集される。
【００３５】
各リモート伝送装置４０Ａ，４０Ｂは識別子により管理され、センタ伝送装置３０は各リモート伝送装置４０Ａ，４０Ｂの識別子の情報を含む装置状態情報を定期的に又は障害検知時に異なるリモート伝送装置経由で指示を出して収集することにより、各リモート伝送装置４０Ａ，４０Ｂの装置状態情報を一元的に管理することが可能となる。
【００３６】
図３は本実施の形態に対応するセンタ伝送装置の動作フローチャートの一例、図４は本実施の形態に対応するリモート伝送装置の動作フローチャートの一例、ここでは装置状態情報を定期的に収集する場合の例をそれぞれ示す。また、図５は本実施の形態に対応するセンタ伝送装置の動作フローチャートの他の例、図６は本実施の形態に対応するリモート伝送装置の動作フローチャートの他の例、ここでは装置状態情報をセンタ伝送装置からの指示に応じて収集する場合の例をそれぞれ示す。
【００３７】
ここで、端末１ａと端末２ａとの間の通信において障害が発生した場合、その原因が、端末１ａとセンタ伝送装置３０との間のリンクの障害、もしくはリモート伝送装置４０Ａと端末２ａとの間のリンクの障害である場合には、センタ伝送装置３０において直ちに障害の発生箇所を特定することができる。
【００３８】
一方、伝送媒体７０Ａに障害が発生した場合、又はリモート伝送装置４０Ａもしくはリモート伝送装置４０Ａの通信インタフェース４２ａに障害が発生した場合には、センタ伝送装置３０の通信インタフェース３２ａのリンクダウン、もしくはセンタ伝送装置３０においてリモート伝送装置４０Ａから送信された監視用信号ｃ２ａを受信できない状態が発生する。この時、従来技術ではその原因が伝送媒体７０Ａの障害にあるのか、又はリモート伝送装置４０Ａの障害にあるのかの切り分けを行うことができなかった。
【００３９】
本発明ではリモート伝送装置４０Ａの装置状態情報は定期的に又はセンタ伝送装置３０からの指示に応じてリモート伝送装置４０Ｂに収集され、リモート伝送装置４０Ｂから伝送媒体７０Ｂを介してセンタ伝送装置３０に送信されるため、伝送媒体７０Ａの障害の発生の有無に拘わらず、センタ伝送装置３０はリモート伝送装置４０Ａの装置状態情報を収集することが可能となる。このためセンタ伝送装置３０がリモート伝送装置４０Ａとの間のリンクの異常を検知した場合に、障害の発生箇所がリモート伝送装置４０Ａであるのか、又は伝送媒体７０Ａであるのかを切り分けを容易に行うことができる。
【００４０】
また、伝送媒体７０Ｂに障害が発生した場合も、上記と同様にセンタ伝送装置３０はリモート伝送装置４０Ｂの装置状態情報を収集することができる。
【００４１】
さらに、障害の発生部位がリモート伝送装置４０Ａである場合に、その障害の発生部位をさらに詳細に特定するには、リモート伝送装置４０Ａにおいてループバック試験等の装置内試験を実施することが想定される。この場合、センタ伝送装置３０はリモート伝送装置４０Ｂに対する監視用信号ｃ１ｂにリモート伝送装置４０Ａにおけるループバック試験を指示する信号を載せてリモート伝送装置４０Ｂに通知することが考えられる。リモート伝送装置４０Ｂは通信インタフェース４３ｂ、伝送媒体８１および通信インタフェース４３ａを介してリモート伝送装置４０Ａに当該リモート伝送装置４０Ａにおける装置内試験の実施を指示する信号を転送する。リモート伝送装置４０Ａにおける装置内試験の実施結果は、上記ルートとは逆方向に監視用信号ｃ２ｂによりセンタ伝送装置３０へ送信することができる。
【００４２】
なお、リモート伝送装置４０Ａ全体の障害により、リモート伝送装置４０Ａの装置状態情報がリモート伝送装置４０Ｂに全く送信されず、また、リモート伝送装置４０Ｂからの信号に対してもリモート伝送装置４０Ａが全く応答しない場合には、その旨の装置状態情報がリモート伝送装置４０Ｂからセンタ伝送装置３０へ送信され、これによってセンタ伝送装置３０がリモート伝送装置４０Ａ全体の障害を確認できることはいうまでもない（リモート伝送装置４０Ｂ全体の障害の場合も同様）。
【００４３】
センタ伝送装置３０が第１の端末１ａ，１ｂとともにセンタ拠点に設置され、リモート伝送装置４０Ａ，４０Ｂがそれぞれ第２の端末２ａ，２ｂとともにセンタ拠点とは異なるロケーションのリモート拠点に設置され、リモート伝送装置４０Ａ，４０Ｂが同一のリモート拠点に設置されるケースを想定すると、リモート伝送装置４０Ａ，４０Ｂを接続する伝送媒体８１に障害が発生する可能性は、伝送媒体７０Ａ又は７０Ｂに障害が発生する可能性より一般的に低いことが想定され、本発明の構成の有効性が確認できる。
【００４４】
また、センタ伝送装置３０と各リモート伝送装置４０Ａ，４０Ｂを接続する伝送媒体７０Ａ，７０Ｂに障害が発生した場合、センタ伝送装置３０と当該障害が発生した伝送媒体に対応するリモート伝送装置は直接通信できないが、少なくとも当該リモート伝送装置の装置状態情報を他のルートを経由して収集することができる。
【００４５】
図７は本発明の通信状態監視システムの第２の実施の形態、ここではリモート伝送装置が３台の場合の例を示すもので、図中、第１の実施の形態と同一構成部分は同一符号をもって表す。即ち、１ａ，１ｂ，１ｃはセンタ拠点に設置された第１の端末、２ａ，２ｂ，２ｃはセンタ拠点とは異なるロケーションのリモート拠点に設置された第２の端末、５ａ，５ｂ，５ｃ，６ａ，６ｂ，６ｃは伝送媒体、３０はセンタ拠点に設置され第１の端末１ａ，１ｂ，１ｃに接続されるセンタ伝送装置、４０Ａ，４０Ｂ，４０Ｃはリモート拠点に設置され第２の端末２ａ，２ｂ，２ｃにそれぞれ接続されるリモート伝送装置、７０Ａ，７０Ｂ，７０Ｃ，８１，８２は伝送媒体である。
【００４６】
センタ伝送装置３０は第１の端末１ａ，１ｂ，１ｃとの通信のための通信インタフェース３１ａ，３１ｂ，３１ｃとともにリモート伝送装置４０Ａ，４０Ｂ，４０Ｃとの通信のための通信インタフェース３２ａ，３２ｂ，３２ｃを備えている。
【００４７】
また、リモート伝送装置４０Ａは第２の端末２ａとの通信のための通信インタフェース４１ａ、センタ伝送装置３０との通信のための通信インタフェース４２ａとともにリモート伝送装置４０Ｂとの通信のための通信インタフェース４３ａを備えている。また、リモート伝送装置４０Ｂは第２の端末２ｂとの通信のための通信インタフェース４１ｂ、センタ伝送装置３０との通信のための通信インタフェース４２ｂ、リモート伝送装置４０Ａとの通信のための通信インタフェース４３ｂとともにリモート伝送装置４０Ｃとの通信のための通信インタフェース４４ｂを備えている。また、リモート伝送装置４０Ｃは第２の端末２ｃとの通信のための通信インタフェース４１ｃ、センタ伝送装置３０との通信のための通信インタフェース４２ｃとともにリモート伝送装置４０Ｂとの通信のための通信インタフェース４３ｃを備えている。
【００４８】
また、センタ伝送装置３０およびリモート伝送装置４０Ａは通信インタフェース３２ａおよび４２ａにより伝送媒体７０Ａを介して相互に通信可能に接続され、センタ伝送装置３０およびリモート伝送装置４０Ｂは通信インタフェース３２ｂおよび４２ｂにより伝送媒体７０Ｂを介して相互に通信可能に接続され、センタ伝送装置３０およびリモート伝送装置４０Ｃは通信インタフェース３２ｃおよび４２ｃにより伝送媒体７０Ｃを介して相互に通信可能に接続され、リモート伝送装置４０Ａおよび４０Ｂは通信インタフェース４３ａおよび４３ｂにより伝送媒体８１を介して相互に通信可能に接続され、リモート伝送装置４０Ｂおよび４０Ｃは通信インタフェース４４ｂおよび４３ｃにより伝送媒体８２を介して相互に通信可能に接続されている。
【００４９】
また、第１の端末１ａ，１ｂ，１ｃはそれぞれ、通信インタフェース１１ａ，１１ｂ，１１ｃにより伝送媒体５ａ，５ｂ，５ｃを介してセンタ伝送装置３０と接続され、第２の端末２ａは通信インタフェース２１ａにより伝送媒体６ａを介してリモート伝送装置４０Ａと接続され、第２の端末２ｂは通信インタフェース２１ｂにより伝送媒体６ｂを介してリモート伝送装置４０Ｂと接続され、第２の端末２ｃは通信インタフェース２１ｃにより伝送媒体６ｃを介してリモート伝送装置４０Ｃと接続され、このようにして端末１ａと端末２ａの通信、端末１ｂと端末２ｂの通信、端末１ｃと端末２ｃの通信がそれぞれ実現される。
【００５０】
本構成においても、第１の実施の形態の場合と同様の手順により、各リモート伝送装置４０Ａ，４０Ｂ，４０Ｃは自身の装置状態情報を作成するとともに対向して接続されたリモート伝送装置の装置状態情報を定期的に又はセンタ伝送装置３０からの指示に応じて収集し、自身がセンタ伝送装置３０と接続する伝送媒体７０Ａ，７０Ｂ，７０Ｃを介して、自身の装置状態情報とともに対向して接続されたリモート伝送装置の装置状態情報を定期的に又はセンタ伝送装置３０からの指示に応じてセンタ伝送装置３０へ送信する。各リモート伝送装置４０Ａ，４０Ｂ，４０Ｃは識別子により管理され、センタ伝送装置３０は各リモート伝送装置４０Ａ，４０Ｂ，４０Ｃの識別子の情報を含む装置状態情報を定期的に又は障害検知時に異なるリモート伝送装置経由で指示を出して収集することにより、各リモート伝送装置４０Ａ，４０Ｂ，４０Ｃの装置状態情報を一元的に管理することが可能となる。
【００５１】
しかし、第２の実施の形態ではリモート伝送装置４０Ｂに障害が発生した場合、リモート伝送装置４０Ａおよび４０Ｃの装置状態情報をセンタ伝送装置３０が収集するルートがそれぞれ伝送媒体７０および７０Ｃに限定され、さらにこれらの伝送媒体７０Ａおよび７０Ｃに障害が発生した場合は、センタ伝送装置３０が当該伝送媒体７０Ａおよび７０Ｃに接続しているリモート伝送装置の装置状態情報を全く収集することができない事態を招く可能性がある。
【００５２】
図８は前述した第２の実施の形態の問題を解決した本発明の通信状態監視システムの第３の実施の形態を示すもので、ここでは第２の実施の形態において、リモート伝送装置４０Ａにリモート伝送装置４０Ｃとの通信のための通信インタフェース４４ａを設け、リモート伝送装置４０Ｃにリモート伝送装置４０Ａとの通信のための通信インタフェース４４ｃを設けて、リモート伝送装置４０Ａとリモート伝送装置４０Ｃとを伝送媒体８３で接続する、即ち各リモート伝送装置をリングトポロジにより互いに接続することにより、例えリモート伝送装置４０Ｂに障害が発生した場合でも、リモート伝送装置４０Ａとリモート伝送装置４０Ｃとの間で伝送媒体８３を介して互いに対向して接続されたリモート伝送装置の装置状態情報を収集し、伝送媒体７０Ａおよび７０Ｃを介してそれぞれセンタ伝送装置３０へ送信可能としたものである。
【００５３】
なお、前述した図３乃至図６の動作フローチャートは、第２、第３の実施の形態におけるセンタ伝送装置およびリモート伝送装置にもそのまま対応する。
【００５４】
また、第２又は第３の実施の形態はリモート伝送装置の台数が４台以上の場合であっても、同様に適用可能であることはいうまでもない。
【００５５】
図９乃至図１４は本発明の通信状態監視システムの第４の実施の形態、ここでは各リモート伝送装置の装置状態情報をセンタ伝送装置へ代表して送信する特定のリモート伝送装置（以下、代表リモート伝送装置）を設定して送信する場合の例におけるセンタ伝送装置、代表リモート伝送装置およびリモート伝送装置の動作フローチャートを示すもので、図９、図１０および図１１は装置状態情報を定期的に収集する場合の例を、図１２、図１３および図１４は装置状態情報をセンタ伝送装置からの指示に応じて収集する場合の例をそれぞれ示す。
【００５６】
代表リモート伝送装置は、各リモート伝送装置の状態情報を定期的に又はセンタ伝送装置からの指示に応じて収集し、代表リモート伝送装置がセンタ伝送装置へ一括して送信することに特徴がある。代表リモート伝送装置には、センタ伝送装置から各リモート伝送装置への詳細な装置内試験の実施の指示を各リモート伝送装置を代表して受信し、該当するリモート伝送装置へ転送し、また、当該リモート伝送装置内での試験結果を収集してセンタ伝送装置へ送信する役割もある。
【００５７】
代表リモート伝送装置に障害が発生した場合や代表リモート伝送装置とセンタ伝送装置との間の通信リンクに障害が発生した場合には、他のリモート伝送装置が代わって代表リモート伝送装置となり、センタ伝送装置へのリモート伝送装置の装置状態情報の通知を継続することができる。なお、代表リモート伝送装置の切り替えは、例えば障害を検出したセンタ伝送装置が予め定めた順番に従って各リモート伝送装置に指令を出す、各リモート伝送装置間で自律的に設定し、その結果をセンタ伝送装置に通知する等により行うことができる。
【００５８】
図１５は本発明の通信状態監視システムの第５の実施の形態、ここでは複数のリモート伝送装置がそれぞれラインカードの形態で構成され、１つの装置筐体に全て収容されている場合の例を示すものである。即ち、図中、１ａ，１ｂ，１ｃ，１ｄはセンタ拠点に設置された第１の端末、２ａ，２ｂ，２ｃ，２ｄはセンタ拠点とは異なるロケーションのリモート拠点に設置された第２の端末、５ａ，５ｂ，５ｃ，５ｄ，６ａ，６ｂ，６ｃ，６ｄは伝送媒体、３０はセンタ拠点に設置され第１の端末１ａ，１ｂ，１ｃ，１ｄに接続されるセンタ伝送装置、９０はリモート拠点に設置された装置筐体であり、当該装置筐体９０内にはラインカードによる複数、ここでは第２の端末２ａ，２ｂ，２ｃ，２ｄにそれぞれ接続される４つのリモート伝送装置９０Ａ，９０Ｂ，９０Ｃ，９０Ｄが実装されている。
【００５９】
センタ伝送装置３０は第１の端末１ａ，１ｂ，１ｃ，１ｄとの通信のための通信インタフェース３１ａ，３１ｂ，３１ｃ，３１ｄとともにリモート伝送装置９０Ａ，９０Ｂ，９０Ｃ，９０Ｄとの通信のための通信インタフェース３２ａ，３２ｂ，３２ｃ，３２ｄを備え、また、リモート伝送装置９０Ａは第２の端末２ａとの通信のための通信インタフェース９１ａ、センタ伝送装置３０との通信のための通信インタフェース９２ａとともに他のリモート伝送装置９０Ｂ，９０Ｃ，９０Ｄとの通信のための通信インタフェース９３ａを備え、また、リモート伝送装置９０Ｂは第２の端末２ｂとの通信のための通信インタフェース９１ｂ、センタ伝送装置３０との通信のための通信インタフェース９２ｂとともに他のリモート伝送装置９０Ａ，９０Ｃ，９０Ｄとの通信のための通信インタフェース９３ｂを備え、また、リモート伝送装置９０Ｃは第２の端末２ｃとの通信のための通信インタフェース９１ｃ、センタ伝送装置３０との通信のための通信インタフェース９２ｃとともに他のリモート伝送装置９０Ａ，９０Ｂ，９０Ｄとの通信のための通信インタフェース９３ｃを備え、また、リモート伝送装置９０Ｄは第２の端末２ｄとの通信のための通信インタフェース９１ｄ、センタ伝送装置３０との通信のための通信インタフェース９２ｄとともに他のリモート伝送装置９０Ａ，９０Ｂ，９０Ｃとの通信のための通信インタフェース９３ｄを備えている。
【００６０】
また、センタ伝送装置３０およびリモート伝送装置９０Ａは通信インタフェース３２ａおよび９２ａにより伝送媒体７０Ａを介して相互に通信可能に接続され、センタ伝送装置３０およびリモート伝送装置９０Ｂは通信インタフェース３２ｂおよび９２ｂにより伝送媒体７０Ｂを介して相互に通信可能に接続され、センタ伝送装置３０およびリモート伝送装置９０Ｃは通信インタフェース３２ｃおよび９２ｃにより伝送媒体７０Ｃを介して相互に通信可能に接続され、センタ伝送装置３０およびリモート伝送装置９０Ｄは通信インタフェース３２ｄおよび９２ｄにより伝送媒体７０Ｄを介して相互に通信可能に接続され、各リモート伝送装置９０Ａ，９０Ｂ，９０Ｃ，９０Ｄ間は各通信インタフェース９３ａ，９３ｂ，９３ｃ，９３ｄにより伝送媒体、ここでは装置筐体９０の内部バス９４を介して相互に通信可能に接続されている。
【００６１】
本構成においても、第１乃至第４の実施の形態の場合と同様の手順により、各リモート伝送装置９０Ａ，９０Ｂ，９０Ｃ，９０Ｄは自身の装置状態情報を作成するとともにバス接続された他のリモート伝送装置の装置状態情報を定期的に又はセンタ伝送装置３０からの指示に応じて収集し、自身がセンタ伝送装置３０と接続する伝送媒体７０Ａ，７０Ｂ，７０Ｃ，７０Ｄを介して、自身の装置状態情報とともにバス接続された他のリモート伝送装置の装置状態情報を定期的に又はセンタ伝送装置３０からの指示に応じてセンタ伝送装置３０へ送信する。各リモート伝送装置９０Ａ，９０Ｂ，９０Ｃ，９０Ｄは識別子により管理され、センタ伝送装置３０は各リモート伝送装置９０Ａ，９０Ｂ，９０Ｃ，９０Ｄの識別子の情報を含む装置状態情報を定期的に又は障害検知時に異なるリモート伝送装置経由で指示を出して収集することにより、各リモート伝送装置９０Ａ，９０Ｂ，９０Ｃ，９０Ｄの装置状態情報を収集し、一元的に管理することが可能となる。
【００６２】
図１６は本発明の通信状態監視システムの第６の実施の形態、ここでは第５の実施の形態で説明したラインカード形態の複数のリモート伝送装置を収容した装置筐体が２以上存在する場合の例を示すものである。即ち、図中、９０−１，９０−２，…９０−ｎはそれぞれ、リモート拠点に設置された２以上、ここではｎ個の装置筐体であり、当該各装置筐体９０−１〜９０−ｎ内にはそれぞれ、第５の実施の形態の場合と同様、内部バスを介して相互に通信可能に接続されたラインカードによる複数のリモート伝送装置が実装されている。また、装置筐体９０−１〜９０−ｎ内の各リモート伝送装置とセンタ伝送装置３０との間はそれぞれ、伝送媒体を介して相互に通信可能に接続され、さらに各装置筐体９０−１〜９０−ｎ間は伝送媒体８４を介して相互に通信可能に接続されている。
【００６３】
本構成によれば、第５の実施の形態の場合と同様に装置筐体９０−１〜９０−ｎ内の各リモート伝送装置間で装置状態情報が共有可能であるとともに、各装置筐体９０−１〜９０−ｎ間でのリモート伝送装置の装置状態情報の共有も可能となり、例えば、ある装置筐体内の全てのリモート伝送装置とセンタ伝送装置３０との間の伝送媒体に障害が発生したような場合であっても、他の装置筐体内のリモート伝送装置を通じて当該ある装置筐体内のリモート伝送装置の装置状態情報を収集することが可能となる。
【００６４】
以上説明した実施の形態において、センタ伝送装置とリモート伝送装置との間を接続する伝送媒体としては、例えば光ファイバ、ＵＴＰケーブル、同軸ケーブル、無線通信などが考えられる。また、リモート伝送装置間および端末とセンタ伝送装置又はリモート伝送装置との間を接続する伝送媒体としては上記に加えてＵＳＢケーブル、装置筐体内の内部バス等が考えられ、装置筐体間を接続する伝送媒体としては上記に加えてＵＳＢケーブル等が考えられる。
【実施例１】
【００６５】
図１７はセンタ伝送装置に複数のリモート伝送装置を接続する通信網への本発明の通信状態監視方法の適用例、ここではＣ−ＲＡＮ（Centralized Radio Access Network）と呼ばれるモバイル通信の基地局アーキテクチャを採用した基地局本体およびリモート基地局で構成される分散型の基地局システムへの適用を示す。
【００６６】
Ｃ−ＲＡＮアーキテクチャでは、基地局をベースバンド信号処理を行う基地局本体１０１と、アンテナを設置する拠点（セルサイト）に設置されアンテナに接続されるリモート基地局（張出し部）１０２ａ１，１０２ａ２，１０２ａ３，１０２ｂ１，１０２ｂ２，１０２ｂ３とに分離し、両者をセンタ伝送装置３０およびリモート伝送装置４０Ａ，４０Ｂを介して光ファイバ１０３Ａ，１０３Ｂにより接続する。リモート基地局は通常、セクタ単位、周波数帯の単位で設置されるため、例えば３セクタ、２周波数帯で運用されるマクロ基地局ではセルサイトに計６台のリモート基地局を設置する。
【００６７】
こうした基地局システムの基地局本体とリモート基地局との間の信号の伝送にＴＤＭ（Time Division Multiplexing）やＷＤＭ（Wavelength Division Multiplexing）等の多重伝送技術を適用した伝送システムを導入し、拠点間の伝送に使用される光ファイバの芯線数を削減する方法が考えられる。
【００６８】
その場合、基地局本体を設置する拠点にセンタ伝送装置３０、セルサイトにリモート伝送装置４０Ａ，４０Ｂが設置される。リモート伝送装置４０Ａ，４０Ｂ同士を他の伝送媒体８５で接続し、リモート伝送装置４０Ａ，４０Ｂの装置状態情報を各リモート伝送装置間で共有し、共有された装置状態情報をそれぞれのリモート伝送装置４０Ａ，４０Ｂがセンタ伝送装置３０に送信することにより、センタ伝送装置３０はリモート伝送装置４０Ａ，４０Ｂの高度な監視を実現することができ、併せて基地局本体１０１およびリモート基地局１０２ａ１〜１０２ａ３，１０２ｂ１〜１０２ｂ３の状態を監視することができる。
【００６９】
本発明のリモート基地局の監視方法は、基地局本体および複数のリモート基地局で構成されるその他の伝送システムにも幅広く適用することができる。
【００７０】
なお、本発明は、周知のコンピュータに記録媒体もしくは通信回線を介して、図３乃至図６又は図９乃至図１４のフローチャートに示された手順を備えるプログラムをインストールすることによって実現可能である。
【符号の説明】
【００７１】
１ａ，１ｂ，１ｃ，１ｄ：第１の端末、２ａ，２ｂ，２ｃ，２ｄ：第２の端末、５ａ，５ｂ，５ｃ，５ｄ，６ａ，６ｂ，６ｃ，６ｄ：伝送媒体、１１ａ，１１ｂ，１１ｃ，１１ｄ，２１ａ，２１ｂ，２１ｃ，２１ｄ：通信インタフェース、
３０：センタ伝送装置、３１ａ，３１ｂ，３１ｃ，３１ｄ，３２ａ，３２ｂ，３２ｃ，３２ｄ：通信インタフェース、
４０Ａ，４０Ｂ，４０Ｃ：リモート伝送装置、４１ａ，４１ｂ，４１ｃ，４２ａ，４２ｂ，４２ｃ，４３ａ，４３ｂ，４３ｃ，４４ａ，４４ｂ，４４ｃ：通信インタフェース、
７０Ａ，７０Ｂ，７０Ｃ，７０Ｄ，８１，８２，８３，８４，８５：伝送媒体、
９０，９０−１，９０−２，…９０−ｎ：装置筐体、９０Ａ，９０Ｂ，９０Ｃ，９０Ｄ：リモート伝送装置、９１ａ，９１ｂ，９１ｃ，９１ｄ，９２ａ，９２ｂ，９２ｃ，９２ｄ，９３ａ，９３ｂ，９３ｃ，９３ｄ：通信インタフェース、９４：内部バス、
１０１：基地局本体、１０２ａ１，１０２ａ２，１０２ａ３，１０２ｂ１，１０２ｂ２，１０２ｂ３：リモート基地局、１０３Ａ，１０３Ｂ：光ファイバ、
ｃ１ａ，ｃ１ｂ，ｃ１ｃ，ｃ１ｄ，ｃ２ａ，ｃ２ｂ，ｃ２ｃ，ｃ２ｄ：監視用信号。
【先行技術文献】
【非特許文献】
【００７２】
【非特許文献１】ITU-T G.8013/Y.1731, pp.10-12
【図１】
2015111798.tif 000003
【図２】
2015111798.tif 000004
【図３】
2015111798.tif 000005
【図４】
2015111798.tif 000006
【図５】
2015111798.tif 000007
【図６】
2015111798.tif 000008
【図７】
2015111798.tif 000009
【図８】
2015111798.tif 000010
【図９】
2015111798.tif 000011
【図１０】
2015111798.tif 000012
【図１１】
2015111798.tif 000013
【図１２】
2015111798.tif 000014
【図１３】
2015111798.tif 000015
【図１４】
2015111798.tif 000016
【図１５】
2015111798.tif 000017
【図１６】
2015111798.tif 000018
【図１７】
2015111798.tif 000019